(57)【要約】【課題】  ＰＣを介さずに、デジタルカメラ画像をＭＦＰやプリンタ等の画像処理装置で印字する際に、処理画像をデジタルカメラの表示部で目視して確認することができ、したがって、デジタルカメラ画像の直接印字をよりユーザビリティの高いものにすることができる画像処理装置および画像処理装置の制御方法を提供することを目的とするものである。【解決手段】  画像表示部と画像蓄積部とを備えている外部接続機器と接続可能なインタフェースと、キー入力が可能な操作部と、ＰＣを介さずに、デジタルカメラの画像を、画像処理装置で印字する印字手段と、上記画像処理装置で処理すべき画像を、上記画像処理装置に接続されている上記外部接続機器の表示部に表示させる表示制御手段とを有する画像処理装置である。【選択図】  図１
2005159475.tif 000002
【特許請求の範囲】
【請求項１】
画像処理装置において、
画像表示部と画像蓄積部とを備えている外部接続機器と該外部機器以外に着脱可能なデータ蓄積手段とを接続可能なインタフェースと；
キー入力が可能な操作部と；
ＰＣを介さずに、上記外部装置の画像蓄積部に蓄積された画像を、上記画像処理装置で印字する印字手段と；
操作部からのキー入力に従い、上記外部接続機器以外の蓄積部に蓄積された画像を、上記画像処理装置に接続されている上記外部接続機器の表示部に表示させる表示制御手段と；
を有することを特徴とする画像処理装置。
【請求項２】
請求項１において、
画像を読み取る読取手段を有し、
上記読取手段で読み取った画像を、上記外部接続機器に転送し、この転送された画像を、上記画像処理装置の表示部に表示させる操作を、上記操作部で実行することを特徴とする画像処理装置。
【請求項３】
請求項１において、
上記インタフェースに接続されているデータ蓄積媒体の画像データを、上記画像処理装置に転送し、また、上記外部接続機器に転送し、その画像を表示させる操作を操作部で実行する操作手段を有することを特徴とする画像処理装置。
【請求項４】
請求項２または３において、
上記データ蓄積手段に蓄積された画像または上記読取手段で読み取られた画像と上記外部機器の蓄積部に蓄積された画像とを合成し、所定の操作によって、上記合成した合成画像を閲覧用に転送し、上記外部接続機器の画像表示部に表示させるように操作する操作手段を有することを特徴とする画像処理装置。
【請求項５】
請求項４において、
上記合成画像を処理した後に、上記合成画像を削除するかどうかを制御するスイッチを有することを特徴とする画像処理装置。
【請求項６】
請求項４において、
上記外部接続機器で、上記合成画像を表示するかどうかを制御するスイッチを有することを特徴とする画像処理装置。
【請求項７】
請求項４において、
デジタルカメラが接続されていれば、上記合成画像を上記デジタルカメラで閲覧させ、上記デジタルカメラが未接続であれば、上記合成画像を閲覧せずに、上記合成画像を処理することを特徴とする画像処理装置。
【請求項８】
画像表示部と画像蓄積部とを備えている外部接続機器と該外部機器以外に着脱可能なデータ蓄積手段とを接続可能なインタフェースと、キー入力が可能な操作部とを有する画像処理装置の制御方法において、
ＰＣを介さずに、上記外部装置の画像蓄積部に蓄積された画像を、上記画像処理装置で印字する印字段階と；
操作部からのキー入力に従い、上記外部接続機器以外の蓄積部に蓄積された画像を、上記画像処理装置に接続されている上記外部接続機器の表示部に表示させる表示制御段階と；
を有することを特徴とする画像処理装置の制御方法。
【発明の詳細な説明】
【技術分野】
【０００１】
本発明は、画像処理装置および画像処理装置の制御方法に関する。
【背景技術】
【０００２】
近年、デジタルカメラの普及率が上がり、ＰＣを使用せずに、デジタルカメラ画像を直接、プリンタで印字する需要が高まっている。そこで、小規模ＭＦＰ製品においても、パソコンを介さずに、ＰＣカード等からの印字、デジタルカメラを直接接続した場合における印字の仕様が、これからの製品には、欠かせないものになる。
【０００３】
ところが、小規模のＭＦＰにおいては、表示機能等が貧弱であるので、別途、画像プロジェクタを装着し、画像データのインデックスを印字し、それを参照して、画像番号等を入力する等の方法によって画像を選択する。
【０００４】
なお、プリンタにデジタルカメラを接続し、プリンタの操作部でデジタルカメラの表示部に表示される画像を切り替え、デジタルカメラから画像を取り出し、カレンダーなどに合成してデジタルカメラの表示部に表示させることが知られている（たとえば特許文献1〜特許文献４参照。）。
【０００５】
しかし、これらの文献には、プリンタとデジタルカメラを１対１で接続することしか記載されていない。
【特許文献１】特開平１０−１０８００５号公報
【特許文献２】特開平１０−１０８００６号公報
【特許文献３】特開平１０−１０７９８１号公報
【特許文献４】特開平１１−０５５６１２号公報
【発明の開示】
【発明が解決しようとする課題】
【０００６】
しかし、上記従来例では、小規模低価格ＭＦＰにおいて、液晶プロジェクタを装着する場合、液晶プロジェクタ自体が高価であるので、低価格なＭＦＰと高価な表示機器とを購入するユーザは希であり、したがって、液晶プロジェクタを装着する場合、低価格なＭＦＰに、高価な表示機器を接続することは、現実的ではないという問題がある。
【０００７】
また、上記従来例では、インデックスを印字して番号選択する場合も、一度インデックスで画像を確認しなければならず、その操作が煩雑であるという問題がある。
【０００８】
さらに、上記従来例では、画像を加工したものを確認できないので、ユーザには手間であり、小規模ＭＦＰでは、画像を確認して画像を処理することが困難であるという問題がある。
【０００９】
つまり、上記従来例では、ＰＣを介さずに、デジタルカメラ画像をＭＦＰやプリンタ等の画像処理装置で印字する際に、処理画像をデジタルカメラの表示部で目視して確認することができないという問題がある。
【００１０】
本発明は、ＰＣを介さずに、デジタルカメラ画像をＭＦＰやプリンタ等の画像処理装置で印字する際に、処理画像をデジタルカメラの表示部で目視して確認することができ、したがって、デジタルカメラ画像の直接印字をよりユーザビリティの高いものにすることができる画像処理装置および画像処理装置の制御方法を提供することを目的とするものである。
【課題を解決するための手段】
【００１１】
本発明は、画像表示部と画像蓄積部とを備えている外部接続機器と接続可能なインタフェースと、キー入力が可能な操作部と、ＰＣを介さずに、デジタルカメラの画像を、画像処理装置で印字する印字手段と、上記画像処理装置で処理すべき画像を、上記画像処理装置に接続されている上記外部接続機器の表示部に表示させる表示制御手段とを有する画像処理装置である。
【発明の効果】
【００１２】
本発明によれば、ＰＣを介さずに、デジタルカメラ画像をＭＦＰやプリンタ等の画像処理装置で印字する際に、接続されているデジタルカメラの液晶表示部を用いて、ＭＦＰで処理する画像を表示するので、処理画像をデジタルカメラの表示部で目視して確認することができ、したがって、デジタルカメラ画像の直接印字をよりユーザビリティの高いものにすることができるという効果を奏する
【発明を実施するための最良の形態】
【００１３】
発明を実施するための最良の形態は、以下の実施例である。
【実施例１】
【００１４】
図１は、本発明の実施例１であるＭＦＰ（多機能周辺機器）１００と、メモリカードＭＣ１と、外部接続機器１１３とを示すブロック図である。
【００１５】
ＭＦＰ１００は、スキャニング機能と、プリンティング機能と、コピー機能と、メモリカード機能とを併せ持つＭＦＰ（Ｍｕｌｔｉ  Ｆｕｎｃｔｉｏｎ  Ｐｅｒｉｐｈｅｒａｌ：多機能周辺機器）であり、画像合成装置である。
【００１６】
またＭＦＰ１００は、ＣＰＵ１０１と、表示部１０２と、画像処理部１０３と、ＲＯＭ１０４と、メモリ１０５と、操作部１０６と、通信制御部１０７と、Ｉ／Ｆ制御部１０８と、プリンタ１０９と、スキャナ１１０と、カードリーダＣＲ１と、スピーカ１１４とを有する。
【００１７】
ＣＰＵ１０１は、ＭＦＰ１００のシステム制御部であり、ＭＦＰ１００の全体を制御する。
【００１８】
画像処理部１０３は、スキャナ１１０によって入力された画像データに各種画像処理を施すものである。スキャナ１１０は、原稿上の画像を読み取る接触型読取りセンサ等を持つ読取装置である。
【００１９】
ＲＯＭ１０４は、ＭＦＰ１００のシステム制御プログラムを格納するものである。なお、ＣＰＵ１０１は、ＲＯＭ１０４に格納されている制御プログラムに基づいて、ＭＦＰ１００に関する各種の動作を実行する。このようなＣＰＵ１０１の制御プログラムは、ＲＯＭ１０４に格納されているものに限らず、フロッピー（登録商標）ディスクやＣＤ−ＲＯＭ等による外部の記憶媒体に記憶されているものでもよく、これを専用の読取装置によって、ＭＦＰ１００のＲＡＭ（たとえばメモリ１０５）に取り込み、これをＣＰＵ１０１が解読し、実行するようにしてもよい。
【００２０】
メモリ１０５は、ＭＦＰ１００の登録データ等を格納し、画像データを格納するものである。操作部１０６は、オペレータからの動作指示入力や各種データ登録や表示部１０２を通じて、ＭＦＰ１００の状態を確認するものである。
【００２１】
Ｉ／Ｆ制御部１０８は、ＭＦＰ１００と、ＰＣまたはデジタルカメラ等の外部接続機器１１３とを接続するインタフェースであり、外部接続機器１１３は、これを介して、ＭＦＰ１００の各種設定データ変更や、各種動作の起動要求を行うことができる。Ｉ／Ｆ制御部１０８は、たとえばＵＳＢであり、Ｉ／Ｆ制御部１０８にデジタルカメラ等の外部接続機器１１３が接続されたときに、外部接続機器１１３が接続されたことを検出するとともに、接続された外部接続機器１１３の種類を判別する。また、本願では、外部接続機器１１３を複数同時に接続できる。
【００２２】
通信制御部１０７は、ＦＡＸ送受信等、データ送受の制御を行うものである。プリンタ１０９は、入力された画像データを記録紙に印字するものである。カードリーダＣＲ１は、これに着脱可能なメモリカードＭＣ１を接続し、メモリカードＭＣ１内のデータを読み取り、ＦＡＸ受信したデータやスキャナ１１０で読み取ったデータ等を格納するものである。スピーカ１１４は、キータッチ音、ジョブ終了音、エラー発生時警告音等を発生するものである。
【００２３】
図２は、上記実施例において、ＭＦＰ１００における操作パネルＯＰの構成を示す図である。
【００２４】
操作パネルＯＰは、操作部１０６に設けられ、電源キー２０１と、リカバリキー２０２と、メモリ使用表示ＬＥＤ２０３と、エラー表示ＬＥＤ２０４と、モード切替キー２０５と、カラーモード表示ＬＥＤ２０６と、カラー／モノクロ切替キー２０７と、ストップキー２０８と、スタートキー２０９と、テンキー２１０と、コピー画質選択キー２１１と、コピー濃度調整キー２１２と、記録紙サイズ選択キー２１３と、コピー倍率設定キー２１４と、セットキー２１５と、メニューキー２１６と、ディスプレイ２１７と、画像閲覧キー２１８とを有する。
【００２５】
電源キー２０１は、本装置の電源のＯＮ／ＯＦＦを行うキーであり、リカバリキー２０２は、本装置のエラー解除を行うキーである。メモリ使用表示ＬＥＤ２０３が点滅しているときは、ＭＦＰ１００がメモリを使用していることを意味している。エラー表示ＬＥＤ２０４が点滅しているときは、ＭＦＰ１００がエラー状態であることを意味している。
【００２６】
モード切替キー２０５は、ＭＦＰ１００のスタンバイ状態を、コピーモード、ＦＡＸモード、スキャナモード、カードリーダモードのうちのいずれか１つのモードに切り替えるキーである。カラーモード表示ＬＥＤ２０６が点灯しているときは、ＭＦＰ１００がカラー読取モードであることを意味している。
【００２７】
カラー／モノクロ切替キー２０７によって、ＭＦＰ１００の読取モードを、カラーモードまたはモノクロモードに切り替えることが可能であり、読取モードがカラーモードであれば、カラーモード表示ＬＥＤ２０６が点灯し、モノクロモードであれば、カラーモード表示ＬＥＤ２０６が消灯する。
【００２８】
ストップキー２０８は、ＭＦＰ１００の動作を停止させるキーである。スタートキー２０９は、ＭＦＰ１００の動作を開始させるキーである。テンキー２１０は、コピー枚数等の数値入力を行うキーである。コピー画質選択キー２１１によって、ＭＦＰ１００のコピー画質の切り替えを行うことが可能である。コピー濃度調整キー２１２によって、ＭＦＰ１００のコピー濃度の調整を行うことが可能である。
【００２９】
記録紙サイズ選択キー２１３によって、ＭＦＰ１００にセットされている記録紙サイズの設定を行うことが可能である。コピー倍率設定キー２１４によって、ＭＦＰ１００のコピー倍率の設定を行うことが可能である。セットキー２１５によって、ＭＦＰ１００の各種設定項目の設定を決定することが可能である。
【００３０】
メニューキー２１６によって、ＭＦＰ１００の各種設定項目をディスプレイ２１７上に表示させることが可能である。ディスプレイ２１７上に、ＭＦＰ１００の状態や設定項目を表示させることが可能である。画像閲覧キー２１８は、デジタルカメラ内の画像を閲覧する際に使用するキーである。画像閲覧キー２１８を押下することによって、デジタルカメラに表示のコマンドが送信され、画像表示シーケンスに移る。
【００３１】
次に、上記実施例において、接続されているデジタルカメラの内部画像データを、画像処理装置としてのＭＦＰ１００からの操作によって、デジタルカメラ液晶部に表示する動作について説明する。
【００３２】
図３は、上記実施例において、接続されているデジタルカメラの内部画像データまたはデジタルカメラと同時に接続されている着脱可能なハードディスクや着脱可能なカードリーダＣＲ２に接続されたメモリカードＭＣ３、本体に装着されたメモリカードＭＣ１に記憶された画像を、画像処理装置としてのＭＦＰ１００からの操作によって、デジタルカメラ液晶部に表示する動作を示すフローチャートである。
【００３３】
まず、デジタルカメラだけが接続され、他の外部接続機器とメモリカードＭＣ１とが接続されていない場合について説明する。この場合、画像閲覧キー２１８を押すと、Ｉ／Ｆ接続部１０８に接続されているそれぞれの機器の情報をＣＰＵ１０１が認識し、接続されている外部接続機器がデジタルカメラＤＣのみであり、かつ、メモリカードＭＣ１が接続されていないと判断する。この判断に基づき、接続されたデジタルカメラが持つ内部の画像情報を取得し（Ｓ１）、画像処理装置の表示部に画像番号を表示し（Ｓ２）、ユーザが表示部に従い画像を選択する（Ｓ３）。ユーザが画像を選択しなければ、画像番号を再び表示し、画像選択を促す（Ｓ２、Ｓ３）。ユーザが画像を選択した場合（Ｓ３）、選択された画像を表示するコマンドを、画像処理装置から転送する（Ｓ４）。コマンドを受け取ったデジタルカメラは、指定された画像を表示する（Ｓ５）。そして、ＭＦＰ１００側で、デジタルカメラの表示部への表示を終了させる操作が行われたら（表示させる操作を終了する指令があれば）、表示を終了させ、表示を抜けない場合には、再びユーザが画像番号を選択し、次の画像を表示させる。
【００３４】
本実施例において、外部接続機器１１３としてデジタルカメラを想定しているが、画像データを持ち、かつ画像表示部を有する外部機器であれば、表示用の外部接続機器１１３として使用することができる。たとえば、カメラ付き携帯電話でも良い。
【００３５】
次に、上記実施例において、画像処理装置としてのＭＦＰ１００が取得した画像を、接続されているデジタルカメラに表示する動作について説明する。
【００３６】
図４は、画像処理装置としてのＭＦＰ１００が取得した画像を、接続されているデジタルカメラに表示する動作を示すフローチャートである。
【００３７】
まず、ユーザが、画像閲覧キー２１８を押すと、Ｉ／Ｆ接続部１０８に接続されているそれぞれの機器の情報をＣＰＵ１０１が認識し、接続されている外部接続機器およびメモリカードＭＣ１の名称をディスプレイ２１７に表示する。このときに、表示されている名称は、メニューキー２１６を操作することによって、順次切り替わる。画像が記憶されている機器の所望の名称が表示されている状態で、ユーザがセットキー２１５を押すことにより、画像を取り出す対象となる外部接続機器１１３（接続されたデジタルカメラが持つ内部の画像情報、または、着脱可能なハードディスクに記憶された画像、または、着脱可能なカードリーダＣＲ２に接続されたメモリカードＭＣ３に蓄積された画像）、または、本体に装着されたメモリカードＭＣ１に記憶された画像のいずれかが決定される。
【００３８】
こうして、表示を行う画像を保存しているデバイスを選択し（Ｓ１１）、選択されたデバイスが画像取得可能かどうかを判別する（Ｓ１２）。画像取得ができなければ、再びデバイスを選択する（Ｓ１１）。画像を取得可能であれば、画像を選択し（Ｓ１３）、この選択された画像のデータを、デジタルカメラに送信する（Ｓ１４）。送信する際に、デジタルカメラ内のメモリに空き容量があることを確認し、画像が転送されたら、画像データを表示する（Ｓ１５）。
【００３９】
上記操作によって画像を表示する。本実施例において、外部接続機器１１３としてデジタルカメラを想定しているが、画像データを持ち、かつ画像表示部を持ち合わせている外部機器であれば、外部接続機器１１３として使用することができる。
【００４０】
次に、上記実施例において、ユーザが画像合成を指示したときにおける表示動作について説明する。
【００４１】
図５、図６は、ユーザが画像合成を指示したときに、合成画像を表示する一連の動作を示すフローチャートである。
【００４２】
図７は、上記実施例におけるデバイス選択の組み合わせを示す図であり、ＭＦＰ１００のＩ／Ｆ制御部（ＵＳＢホスト）１０８を介して接続されている各部を制御するための制御コマンド体系を示す図である。
【００４３】
まず、ユーザが、操作パネルＯＰを介して、画像合成機能を指示すると（Ｓ２１）、合成するための画像データが蓄積されているデバイスを選択する（Ｓ２２）。
【００４４】
上記実施例におけるデバイス選択の組み合わせは、図７に示すように、１６通りある。ただし、装置の構成や、外部周辺機器の接続状態によって、組み合わせ数は増減する。合成画像元デバイスの選択が終わると（Ｓ２３）、合成画像の出力先デバイスを選択する。
【００４５】
出力先デバイスは、図７に示すように、プリンタ、カードリーダ、ＦＡＸ送信（本体メモリ）、外部周辺機器である。これら選択動作は、全て操作パネルＯＰを介して実行される。
【００４６】
合成画像元デバイスと出力先デバイスとを選択すると（Ｓ２２、Ｓ２３）、合成画像元デバイスから、画像データを取得できる状態であるか否かを、ステータス情報取得コマンドを発行することによって確認する。ここで、合成画像元デバイスが別のジョブを行っているのでＢＵＳＹ状態である場合や、何らかの異常が発生しているのでＮＧ状態である場合は、エラー警告を行い（Ｓ３１）、終了する。画像データが取得できる場合は、蓄積画像データ情報コマンドを発行することによって、合成画像元デバイスが保持している画像データ情報を取得し、その中から合成する画像を選択する。ただし、合成画像元デバイスがスキャナであれば、選択不可能である（固定されている）。
【００４７】
次に、合成元画像の選択が終わると（Ｓ４１）、合成処理を実行できる程度、メモリ残量があるか否かを判別する（Ｓ４２）。本体のメモリ残量が十分にあれば、この本体メモリのみを使用して合成処理を行う（Ｓ４３）。本体メモリ残量が十分には残っていなければ、カードリーダのメモリカード領域が使用できるか否かを、ステータス情報取得コマンド、メモリサイズ取得コマンドを発行することによって確認する（Ｓ４４）。カードリーダのメモリカードのメモリ空き容量が合成処理を行うのに十分に余裕があれば（Ｓ４５）、データ送信コマンドとデータ取得コマンドとを繰返し発行しながら、カードリーダに装着されているメモリカード上に合成画像を形成する（Ｓ４６）。
【００４８】
カードリーダのメモリカードが使用できなければ（Ｓ４４）、外部接続機器１１３のメモリ領域が使用できるかどうかを、ステータス情報取得コマンドを発行することによって確認する（Ｓ４７）。外部接続機器１１３が他のジョブを行っているためＢＵＳＹ状態である場合や（Ｓ４７）、何らかの異常が発生しているために、ＮＧ状態である場合（Ｓ４８）、エラー警告を行い（Ｓ３１）、終了する。外部接続機器１１３がメモリ領域を持ち、データの読み書き可能であり、合成処理を行えるのに十分な空き容量があれば、データ送信コマンドとデータ取得コマンドとを繰返し発行しながら、外部接続機器１１３のメモリ領域に、合成画像を形成する（Ｓ４９）。
【００４９】
合成画像を形成した後に、合成画像をプレビューするかどうかを指令するスイッチの値を判別する（Ｓ５１）。プレビュースイッチがＯＦＦであれば、合成画像の処理に移る。プレビュースイッチがＯＮであれば、合成画像を確認するために、外部接続機器１１３として、デジタルカメラが接続されているかどうかを判別する（Ｓ６１）。デジタルカメラが接続されていなければ（Ｓ６１）、合成画像の処理に移る。デジタルカメラが接続されていれば、合成画像をデジタルカメラに転送し、表示する（Ｓ６２）。この方法については、図３、図４において、既に示してある。
【００５０】
次に、表示された画像において合成結果がＯＫであれば（Ｓ６３）、合成画像を出力する（Ｓ６４）。合成結果がＯＫでなければ、再び画像の選択を行う（Ｓ４１）。合成画像がＯＫかどうかの判別は、ユーザが操作部ＯＰを介して実行する。また、時間制限を設け、制限を越えたらＯＫとみなすようにしてもよい。合成画像がＯＫであるかどうかを決定できる判別方法であれば、他の判別方法を採用するようにしてもよい。
【００５１】
合成画像を形成した後に、指定された出力デバイスへ、データ送信コマンドとデータ取得コマンドとを繰返し発行するが、合成画像データの送信を開始する前に、各出力先デバイスのステータス情報取得コマンドを発行することによって、確認する。
【００５２】
この確認の結果、指定出力先デバイスに異常が発生した場合や（Ｓ６４）、メモリ不足のために（Ｓ７１、Ｓ７２）、合成画像データのプリントや保存、ＦＡＸ通信等を実行できない場合には（Ｓ８１、Ｓ８２、Ｓ８４）、合成画像データを、形成されたデバイスに保持したまま、その旨を伝えるエラー警告（Ｓ３１）を行い、終了する。
【００５３】
指定出力先デバイスに何も問題が無ければ（Ｓ６４、Ｓ６５、Ｓ７１、Ｓ７２、Ｓ８１、Ｓ８２、Ｓ８４、Ｓ８５）、それぞれ出力先デバイスに最適な動作であるプリント、保存、ＦＡＸ通信を行う（Ｓ６６、Ｓ７３、Ｓ８３、Ｓ８６）。
【００５４】
最後に、プレビューするために、デジタルカメラに転送した画像をデジタルカメラ画像内から消去するかどうかを判別し（Ｓ９１）、スイッチによって、削除する旨が設定されていれば、転送した画像を削除し（Ｓ９２）、スイッチによって、削除する旨が設定されていなければ、削除せずに保存する。なお、上記スイッチをユーザが設定することができなく、常にどちらか一方の動作を行う場合もある。
【００５５】
ＭＦＰ１００は、各動作指示を受けると、プリンタ１０９、スキャナ１１０、カードリーダＣＲ１、外部接続機器１１３に対して、それぞれ用意されている制御コマンドを発行することによって、各部を動作させる。ＭＦＰ１００は、コマンド＋データ（データがある場合）を各部へ送り、それに対して、各部は、応答＋データ（データがある場合）を、ＭＦＰ１００へ返す。各部が動作可能状態であれば、ＯＫ応答があり、各部が別のジョブ動作中のために動作不可能な状態であれば、ＢＵＳＹ応答があり、各部に何らかの問題があり、動作不可能状態であれば、ＮＧ＋エラー情報応答を行う。
【００５６】
エラー情報には、送信コマンドがエラーになった理由等も含まれている。このコマンド送信・応答を繰り返すことによって、スキャン、プリント等のジョブを行う。また、接続されたデジタルカメラに対して、画像表示のコマンドを持たせることによって、画像処理装置としてのＭＦＰ１００側から、接続されたデジタルカメラにおいて画像を表示させることができる。
【００５７】
なお、上記実施例を、複数の機器（たとえばスキャナ、インタフェース機器、リーダ、プリンタ等）によって構成されるシステムに適用することができ、また、１つの機器（たとえば、複写機、ファクシミリ装置等）に適用するようにしてもよい。
【００５８】
また、上記実施例を実現するソフトウェアのプログラムコードを記録した記憶媒体（または記録媒体）を、システムまたは装置に供給し、そのシステムまたは装置のコンピュータ（またはＣＰＵやＭＰＵ）が、記憶媒体に格納されているプログラムコードを読出し実行するようにしてもよい。
【００５９】
この場合、記憶媒体から読み出されたプログラムコード自体が、上記実施例の機能を実現する。また、コンピュータが読み出したプログラムコードを実行することによって、そのプログラムコードの指示に基づき、コンピュータ上で稼動しているオペレーティングシステム（ＯＳ）等が、実際の処理の一部または全部を実行することによって、上記実施例の機能が実現される。
【００６０】
上記実施例によれば、ＰＣを介さずに、デジタルカメラの画像を、ＭＦＰ１００やプリンタ等、画像処理装置で印字する際に、ＭＦＰ１００で処理すべき画像を、接続されているデジタルカメラの液晶表示部に表示するので、ＭＦＰ１００で処理すべき画像を、デジタルカメラの表示部で、ユーザが目視し、確認することができ、したがって、デジタルカメラ画像の直接印字を、ユーザビリティのより高いものにすることができる。
【００６１】
上記実施例によれば、処理すべき画像を、デジタルカメラの表示部で目視し、確認すれば、画像表示するための表示装置を、ユーザが購入しなくてもよいので、コストダウンという点からも有効である。
【００６２】
また、上記実施例によれば、接続されたデジタルカメラの画像や、その他ＭＦＰ１００に接続できる画像蓄積媒体の画像や、読取画像等の画像の合成、処理を行った場合の出力のプレビュー画像をも、デジタルカメラの表示部に表示することができる。
【００６３】
上記実施例は、デジタルカメラの画像を画像入力してから印字するまでの操作を、ＰＣを介さずに複合機操作パネルＯＰで操作する場合、上記のように、デジタルカメラの表示部を使用すれば、画像を目視しながら処理できるので、従来行っていた印字操作よりも、操作の簡単、便利さが飛躍的に向上する。
【００６４】
上記実施例の説明において、構成要素の相対配置、表示画面等は、特に特定的な記載がない限り、上記記載内容に限定されるものではない。
【図面の簡単な説明】
【００６５】
【図１】本発明の実施例１であるＭＦＰ（多機能周辺機器）１００と、メモリカードＭＣ１と、外部接続機器１１３とを示すブロック図である。
【図２】上記実施例において、ＭＦＰ１００における操作パネルＯＰの構成を示す図である。
【図３】上記実施例において、接続されているデジタルカメラの内部画像データを、画像処理装置としてのＭＦＰ１００からの操作によって、デジタルカメラ液晶部に表示する動作を示すフローチャートである。
【図４】画像処理装置としてのＭＦＰ１００が取得した画像を、接続されているデジタルカメラに表示する動作を示すフローチャートである。
【図５】ユーザにとって画像合成指示が行われたときの合成画像の表示の一連の動作フローチャートを示すフローチャートである。
【図６】ユーザにとって画像合成指示が行われたときの合成画像の表示の一連の動作フローチャートを示すフローチャートである。
【図７】上記実施例におけるデバイス選択の組み合わせを示す図であり、ＭＦＰ１００のＩ／Ｆ制御部（ＵＳＢホスト）１０８を介して接続されている各部を制御するための制御コマンド体系を示す図である。
【符号の説明】
【００６６】
１００…ＭＦＰ（多機能周辺機器）、
ＭＣ１…メモリカード、
１１３…外部接続機器、
１０１…ＣＰＵ、
１０２…表示部、
１０３…画像処理部、
１０４…ＲＯＭ、
１０５…メモリ、
１０６…操作部、
１０７…通信制御部、
１０８…Ｉ／Ｆ制御部、
１０９…プリンタ、
１１０…スキャナ、
ＣＲ１…カードリーダ、
ＯＰ…操作パネル、
２０１…電源キー、
２０２…リカバリキー、
２０３…メモリ使用表示ＬＥＤ、
２０４…エラー表示ＬＥＤ、
２０５…モード切替キー、
２０６…カラーモードＬＥＤ、
２０７…カラー／モノクロ切替キー、
２０８…ストップキー、
２０９…スタートキー、
２１０…テンキー、
２１１…コピー画質選択キー、
２１２…コピー濃度調整キー、
２１３…記録紙サイズ選択キー、
２１４…コピー倍率設定キー、
２１５…セットキー、
２１６…メニューキー、
２１７…ディスプレイ、
２１８…画像閲覧キー。
【図１】
2005159475.tif 000003
【図２】
2005159475.tif 000004
【図３】
2005159475.tif 000005
【図４】
2005159475.tif 000006
【図５】
2005159475.tif 000007
【図６】
2005159475.tif 000008
【図７】
2005159475.tif 000009